(57)【要約】      （修正有）【課題】ソケットユニットの取付けも取外しも簡単で、個数の必要に応じる増減が容易であるスライド型ソケットを提供する。【解決手段】作動ブロック１２３は、長径１２３Ａと短径１２３ａとがあり、一対の電気接続脚１２２、１２２の間に、ソケットユニット１２の外から回動されうるように設置されている上、左右一対の電気接続脚が左右一対のレール１１５、１１５の間に中央レール１１６をそれらの間に挟んで挿入された場合、回動されて長径１２３Ａで左右一対の電気接続脚をそれらの弾性に抗して離間すると、左右一対の電気接続脚を左右一対のレールそれぞれの窪みに挿入させて係止させると共に、左右一対のレールそれぞれにある送電線１１２、１１２と接触させる装着状態になることができ、また、この装着状態で回動されて短径が長径の前記位置に至ると、左右一対の電気接続脚がそれらの弾性により前記通常時の位置に戻り、前記係止を解除する通常状態になる。【選択図】図２
0003121225.tif 000002
【実用新案登録請求の範囲】
【請求項１】
平面に固定されるためのレールユニットと、前記レールユニットに摺動可能に取付けられうる少なくとも一つのソケットユニットとからなっているスライド型ソケットであって、
前記レールユニットは、左右一対のレールを有し、且つ、各レールにおける他のレールの方へ向かっている内側面に電源と連続するための送電線が該当のレールの延伸方向に沿って固定されており、
また、前記ソケットユニットは、
電気装置と接続するための一対の接続端子と、
それぞれ前記一対の接続端子と接続している上、それらの弾性により通常時に互いに近接するように設置されていて前記左右一対のレールの間に挿入されうる左右一対の電気接続脚と、
長径と短径とがあり、且つ、前記左右一対の電気接続脚の間に、前記ソケットユニットの外から回動されうるように設置されている上、前記左右一対の電気接続脚が前記左右一対のレールの間に挿入された場合、回動されて前記長径で前記左右一対の電気接続脚をそれらの弾性に抗して離間すると、前記左右一対の電気接続脚を前記左右一対のレールに係止させると共に、前記左右一対のレールそれぞれにある送電線と接触させる装着状態になることができ、また、この装着状態で回動されて前記短径が前記長径の前記位置に至ると、前記左右一対の電気接続脚がそれらの弾性により前記通常時の位置に戻り、前記係止を解除する通常状態になることができるように配置構成されている作動ブロックとを備えていることを特徴とするスライド型ソケット。
【請求項２】
前記ソケットユニットは、前記作動ブロックを筐体内に有し、前記左右一対の電気接続脚を該筐体外に露出させており、
また、該筐体の外表面に接続座が更に設置されている上、該接続座は、それが回動されると前記作動ブロックもそれに連動して回動され、また、それに電気プラグ挿入用の一対の通孔がある上、前記作動ブロックが前記装着状態にある場合、該一対の通孔に電気プラグが挿入されると、該電気プラグが前記一対の接続端子と接続するように配置構成されていることを特徴とする請求項１に記載のスライド型ソケット。
【請求項３】
前記レールユニットは、前記左右一対のレールの間に、更に、中央レールを有し、該中央レールの表面に凹溝が開けてあり、該凹溝内にアース線が固定されており、
前記ソケットユニットは、更に、アース脚が前記筐体外に露出するように設置されている上、前記左右一対の電気接続脚が前記左右一対のレールの間に挿入されると、前記凹溝内に挿入されて前記アース線と接触することができるように構成されており、
また、前記接続座は、更に、電気プラグのアース柱を挿入されるためのアース用通孔がある上、前記作動ブロックが前記装着状態にある場合、該アース用通孔に電気プラグのアース柱が挿入されると、該電気プラグのアース柱が前記アース脚と接続するように配置構成されていることを特徴とする請求項２に記載のスライド型ソケット。
【請求項４】
前記接続座は、前記筐体内に固定されている上、前記筐体外に延びている軸に回動可能に設置されており、
前記作動ブロックは、前記筐体内の前記軸上に、前記接続座に連動するように設置されていることを特徴とする請求項３に記載のスライド型ソケット。
【請求項５】
前記作動ブロックは、その長径の両端側の、前記左右一対の電気接続脚と接触する部分が平坦面になった横断面楕円形のものであることを特徴とする請求項１〜４のいずれか一項に記載のスライド型ソケット。
【考案の詳細な説明】
【技術分野】
【０００１】
この考案は、スライド型ソケットに関し、特にそのソケットユニットがレールユニットに沿って移されうるスライド型ソケットに関する。
【背景技術】
【０００２】
従来から、スライド型ソケットが既にあった。例えば、そのレールユニットが天井に固定され、そのソケットユニットが前記レールユニットに摺動可能に取付けられ、且つ、電灯が前記ソケットユニットについていてそれと共にレールユニットに沿って移され電灯の投射位置が変えられるものも、前記電灯用ソケットユニットの代わりに、電気プラグ挿入用のソケットユニットが使用されていてソケットユニットのプラグ挿入に利用されうる位置が変えられるものもその応用である。
【０００３】
しかし、前記従来からのスライド型ソケットはすべてソケットユニット数が必要に応じて変化せず、即ち、装置完了後、個数が一定的で、取付けによって増加されたりまたは取外しによって減少されたりすることができない。使用にまだまだ便利だとは言えない。
【考案の開示】
【考案が解決しようとする課題】
【０００４】
前記に鑑みて、本考案は、そのソケットユニットの取付けも取外しも簡単で、個数の必要に応じる増減が容易であるスライド型ソケットを提供しようとすることをその目的とする。
【課題を解決するための手段】
【０００５】
前記目的を達成するために、本考案は、壁面や天井などの平面に固定されるためのレールユニットと、前記レールユニットに摺動可能に取付けられうる少なくとも一つのソケットユニットとからなっているスライド型ソケットであって、前記レールユニットは、左右一対のレールを有し、且つ、各レールにおける他のレールの方へ向かっている内側面に電源と連続するための送電線が該当のレールの延伸方向に沿って固定されており、また、 前記ソケットユニットは、電気装置と接続するための一対の接続端子と、それぞれ前記一対の接続端子と接続している上、それらの弾性により通常時に互いに近接するように設置されていて前記左右一対のレールの間に挿入されうる左右一対の電気接続脚と、長径と短径とがあり、且つ、前記左右一対の電気接続脚の間に、前記ソケットユニットの外から回動されうるように設置されている上、前記左右一対の電気接続脚が前記左右一対のレールの間に挿入された場合、回動されて前記長径で前記左右一対の電気接続脚をそれらの弾性に抗して離間すると、前記左右一対の電気接続脚を前記左右一対のレールに係止させると共に、前記左右一対のレールそれぞれにある送電線と接触させる装着状態になることができ、また、この装着状態で回動されて前記短径が前記長径の前記位置に至ると、前記左右一対の電気接続脚がそれらの弾性により前記通常時の位置に戻り、前記係止を解除する通常状態になることができるように配置構成されている作動ブロックとを備えていることを特徴とするスライド型ソケットを提供する。
【０００６】
また、前記作動ブロックは、その長径の両端側の、前記左右一対の電気接続脚と接触する部分が平坦面になった横断面楕円形のものであることが好ましい。
【０００７】
また、前記スライド型ソケットは、前記作動ブロックの前記ソケットユニットの外からの回動操作が、外の電気プラグ挿入用の接続座によるように構成されていることが好ましい。
【考案の効果】
【０００８】
前記構造のスライド型ソケットでは、前記ソケットユニットは、前記作動ブロックの前記長径と短径とで前記左右一対の電気接続脚を前記レールユニットにおける前記左右一対のレールの間に係止させたり、またはそこから係止を解除したりすることができるので、前記レールユニットへの前記ソケットユニットの取付けもそれからの取外しもでき、即ち必要に応じてソケットユニット数を任意に増減することができる。
【０００９】
また、前記構造のスライド型ソケットでは、前記作動ブロックの前記左右一対の電気接続脚に対する回動操作は前記ソケットユニットの外から行われうるので、前記レールユニットへの前記ソケットユニットの取付けや取外しが非常に簡単である。
【００１０】
また、前記作動ブロックの前記ソケットユニットの外からの回動操作が、外の電気プラグ挿入用の接続座によるように構成された場合、前記スライド型ソケットの全体構造は非常に簡単になるので、生産コストが安くなる。
【００１１】
そしてまた、前記作動ブロックの長径の両端側の、前記左右一対の電気接続脚と接触する部分が平坦面になった場合、前記装着状態での前記左右一対の電気接続脚と前記左右一対のレールそれぞれにある送電線との間の接触が確実であるので、電気接続は非常に安定になる。
【考案を実施するための最良の形態】
【００１２】
以下、添付図面に基づいて本考案の実施形態を詳細に説明する。
【００１３】
図１は、本考案の一実施形態のスライド型ソケットの斜視図である。
【００１４】
図１に示すように、本考案の一実施形態のスライド型ソケット１は、主としてレールユニット１１と、ソケットユニット１２と、給電ユニット１３とからなっているものである。レールユニット１１は、天井や壁面など平面に固定されるためのものであり、給電ユニット１３はレールユニット１１の一端側に取付けられていて給電をするためのものである。ソケットユニット１２は、図示に２セット描いてあるが、１セットでも良く、必要に応ずる他の複数セットでも良い。そして、図示のソケットユニット１２は、既にレールユニット１１に摺動可能に取付けられているが、取外されていても良く、つまりそれ（ら）もレールユニット１１から容易に取外されうる。
【００１５】
図２は、該実施形態のスライド型ソケットにおけるソケットユニットの分解斜視図及びレールユニットの一部断面斜視図である。図３は、該実施形態のスライド型ソケットにおけるソケットユニットの斜め下方から見た分解斜視図である。
【００１６】
図２に示すように、レールユニット１１は、主として左右一対のレール１１５、１１５と、該左右一対のレール１１５、１１５の間にある中央レール１１６とを有する。各レール１１５における他のレール１１５の方へ向かっている内側面１１８、１１８が窪んでいてそこに送電線１１２、１１２が該当のレール１１５の延伸方向Ｘに沿って固定されていて電源としての給電ユニット１３と連続している。また、中央レール１１６の上表面に凹溝１１７が開けてあり、凹溝１１７内にアース線１１３が固定されている。
【００１７】
図３をも併せて見ると、ソケットユニット１２は、上下２部分に着脱可能に構成されている筐体１２５内に一対の接続端子１２１、１２１と、左右一対の電気接続脚１２２、１２２と、作動ブロック１２３と、アース脚１２４とを有する。
【００１８】
一対の接続端子１２１、１２１は、電灯や扇風機など電気装置の電気プラグのコンタクト端子と接続するためのものである。
【００１９】
左右一対の電気接続脚１２２、１２２は、それぞれ一対の接続端子１２１、１２１と接続している上、筐体１２５の底面に開けてある電気接続脚用孔１２５Ａ、１２５Ａから筐体１２５外に露出し且つそれらの弾性により通常時に互いに近接するように設置されている。この通常状態下の左右一対の電気接続脚１２２，１２２は、丁度左右一対のレール１１５、１１５の間に中央レール１１６をそれらの間に挟んで挿入されうるようになっている。
【００２０】
作動ブロック１２３は、長径１２３Ａと短径１２３ａとがあり、且つ、左右一対の電気接続脚１２２、１２２の間に、ソケットユニット１２の外から回動されうるように設置されている上、左右一対の電気接続脚１２２，１２２が左右一対のレール１１５、１１５の間に中央レール１１６をそれらの間に挟んで挿入された場合、回動されて長径１２３Ａで左右一対の電気接続脚１２２、１２２をそれらの弾性に抗して離間すると、左右一対の電気接続脚１２２、１２２を左右一対のレール１１５、１１５それぞれの窪みに挿入させて係止させると共に、左右一対のレール１１５、１１５それぞれにある送電線１１２、１１２と接触させる装着状態になることができ、また、この装着状態で回動されて短径１２３ａが長径１２３Ａの前記位置に至ると、左右一対の電気接続脚１２２、１２２がそれらの弾性により前記通常時の位置に戻り、前記係止を解除する通常状態になることができるように配置構成されている。
【００２１】
アース脚１２４は、筐体１２５の底面に開けてあるアース脚用孔１２５Ｂから筐体１２５外に露出するように設置されている上、左右一対の電気接続脚１２２、１２２が左右一対のレール１１５、１１５の間に中央レール１１６をそれらの間に挟んで挿入されると、中央レール１１６の表面上に形成してある凹溝１１７内に挿入されてアース線１１３と接触することができるように構成されている。
【００２２】
また、筐体１２５内に断面円形の軸１２７が筐体１２５外に延びるように固定されている。筐体１２５（における上部分）の上表面に接続座１２６が更に設置されている。接続座１２６も軸芯１２６Ｃが設けてある。この軸芯１２６Ｃは断面四角形のものであるが、その軸孔１２６Ｄは断面円形である。接続座１２６は軸芯１２６C、特にその断面円形の軸孔１２６Ｄにより、筐体１２５内に断面円形の軸１２７に挿入されて回動可能に連結されている。即ち、接続座１２６は、筐体１２５の上表面に、断面円形の軸１２７を中心に回動されることができる。
【００２３】
そして、図示のように、作動ブロック１２３はその下面に断面円形の中孔１２３Ｄがあり、上面に中孔１２３Ｄより大きく且つ中孔１２３Ｄと上下連通している断面四角形の凹孔１２３Ｃがある。軸１２７は中孔１２３Ｄ、そして凹孔１２３Ｃを挿通してから軸芯１２６Ｃと連結しているが、凹孔１２３Ｃは丁度軸芯１２６Ｃに回動不能に外嵌している。即ち、作動ブロック１２３は筐体１２５内の軸１２７上に接続座１２６の回動に連動できるように設けられている。接続座１２６が回動されると作動ブロック１２３もそれに連動して回動される。
【００２４】
図示のように、接続座１２６には電気プラグのコンタクト端子挿入用通孔１２６Ａ、１２６Ａが一対開けてあり、電気プラグのアース柱挿入用通孔１２６Ｂが一つ開けてある。この一対の通孔１２６Ａ、１２６及び一つのアース柱挿入用通孔１２６Ｂそれぞれの位置は、通常の電気プラグのコンタクト端子とアース柱との間の位置関係になっている上、筐体１２５内の一対の接続端子１２１、１２１及びアース脚１２４と下記のような関係をもっている。即ち、作動ブロック１２３が前記装着状態にある場合、前記通孔１２６Ａ、１２６Ａ、１２６Ｂに電気プラグが挿入されると、該電気プラグのコンタクト端子が一対の接続端子１２１、１２１と、該電気プラグのアース柱がアース脚１２４と接続する、という関係になっている。
【００２５】
また、図２に示すように、作動ブロック１２３は、その長径１２３Ａの両端側の、左右一対の電気接続脚１２２、１２２と接触する部分が平坦面になった横断面楕円形のものである。
【００２６】
次に、前記構成のスライド型ソケット１の作動を説明する。
【００２７】
図４は、該実施形態のスライド型ソケットにおけるソケットユニットとレールユニットとの、接続座が取り外されて上から見た上面図であって、ソケットユニットの作動ブロックが装着状態にあった場合を示す。図５は、図４の状態において、接続座１２６が取り付けられている場合の縦断面図である。図６は、該実施形態のスライド型ソケットにおけるソケットユニットとレールユニットとの、接続座が取り外されて上から見た上面図であって、ソケットユニットの作動ブロックが通常状態にあった場合を示す。図７は、図６の状態において、接続座が取り付けられている場合の縦断面図である。図８は、作動ブロックが装着状態にあった場合の接続座の上面図である。図９は、作動ブロックが通常状態にあった場合の接続座の上面図である。
【００２８】
ソケットユニット１２をレールユニット１１に取付けて使用しようとする時、まず、その外観が図９に示すような状態にあるソケットユニット１２をもって図６及び図７のようにその左右一対の電気接続脚１２２、１２２を左右一対のレール１１５、１１５の間に中央レール１１６をそれらの間に挟みながら挿入すると共に、アース脚１２４を中央レール１１６の外表面上に形成してある凹溝１１７内にアース線１１３と接触するように挿入する。その後、接続座１２６を回動させて図８のような位置にさせると、作動ブロック１２３は接続座１２６の回動に連動して回動し、図４及び図５に示すように、長径１２３Ａで左右一対の電気接続脚１２２、１２２を左右一対のレール１１５、１１５に係止させると共に、左右一対のレール１１５、１１５それぞれにある送電線１１２と接触させ、装着状態になる。
【００２９】
この時、電気装置の電気プラグが挿入されると、該電気プラグのコンタクト端子が一対の接続端子１２１、１２１と接続して電気装置に給電されうるようになるので、電気装置を使用することができる。
【００３０】
また、ソケットユニット１２をレールユニット１１から取外しようとする時、まず、既にレールユニット１１に取付けられていてその外観が図８のようになっているソケットユニット１２の接続座１２６を回動させて図９のような位置にさせる。そうすると、作動ブロック１２３は接続座１２６の回動に連動して回動し、筐体１２５内の構成を図６及び図７に示すような状態にさせる。その時、作動ブロック１２３が図７に示すように短径１２３ａが長径１２３Ａの前記位置に至るから、左右一対の電気接続脚１２２、１２２がそれらの弾性により前記通常時の位置に戻り、前記係止を解除する通常状態になる。それに続いて、ソケットユニット１２をレールユニット１１から取外す。
【００３１】
叙上のように、前記実施形態のスライド型ソケットを使用すれば、レールユニット１１へのソケットユニット１２の取付けもそれからの取外しも簡単にでき、即ち、必要に応じてソケットユニット数を任意に増減することができる。
【００３２】
なお、本考案は前述実施形態に限定されるものではなく、本考案の要旨を逸脱しない範囲において種々の変形可能がある。
【産業上の利用可能性】
【００３３】
本考案のスライド型ソケットによれば、レールユニットへのソケットユニットの取付けもそれからの取外しもでき、即ち必要に応じてソケットユニット数を任意に増減することができる。また、前記ソケットユニットの取付けや取外しが非常に簡単であり、その電気接続も非常に安定になる。なお、本考案のスライド型ソケットの全体構造は非常に簡単になるので、生産コストが安くなる。
【図面の簡単な説明】
【００３４】
【図１】本考案の一実施形態のスライド型ソケットの斜視図である。
【図２】該実施形態のスライド型ソケットにおけるソケットユニットの分解斜視図及びレールユニットの一部断面斜視図である。
【図３】該実施形態のスライド型ソケットにおけるソケットユニットの斜め下方から見た分解斜視図である。
【図４】該実施形態のスライド型ソケットにおけるソケットユニットとレールユニットとの、接続座が取り外されて上から見た上面図であって、ソケットユニットの作動ブロックが装着状態にあった場合を示す。
【図５】図４の状態において、接続座が取り付けられている場合の縦断面図である。
【図６】該実施形態のスライド型ソケットにおけるソケットユニットとレールユニットとの、接続座が取り外されて上から見た上面図であって、ソケットユニットの作動ブロックが通常状態にあった場合を示す。
【図７】図６の状態において、接続座が取り付けられている場合の縦断面図である。
【図８】作動ブロックが装着状態にあった場合の接続座の上面図である。
【図９】作動ブロックが通常状態にあった場合の接続座の上面図である。
【符号の説明】
【００３５】
１        スライド型ソケット
１１      レールユニット
１１２    送電線
１１３    アース線
１１５    レール
１１６    中央レール
１１７    凹溝
１１８    内側面
１２      ソケットユニット
１２１    接続端子
１２２    電気接続脚
１２３    作動ブロック
１２３Ａ  長径
１２３ａ  短径
１２３Ｃ  凹孔
１２３Ｄ  中孔
１２４    アース脚
１２３    筐体
１２５Ａ  電気接続脚用孔
１２５Ｂ  アース脚用孔
１２６    接続座
１２６Ｃ  軸芯
１２６Ｄ  軸孔
１２７    軸
１３        給電ユニット
【図１】
0003121225.tif 000003
【図２】
0003121225.tif 000004
【図３】
0003121225.tif 000005
【図４】
0003121225.tif 000006
【図５】
0003121225.tif 000007
【図６】
0003121225.tif 000008
【図７】
0003121225.tif 000009
【図８】
0003121225.tif 000010
【図９】
0003121225.tif 000011